(57)【特許請求の範囲】
【請求項１】
無線送信したデータが基地局で受信されたことを示す受信確認信号を受信するまで該データを再送する複数の移動局から、該データを受信する受信部と、
該複数の移動局へ無線送信する送信部と、
該複数の移動局のいずれかから受信したデータ送信要求に応じて、該データ送信要求を送信した該移動局にデータ送信用の無線リソースを割り当てるとともに、該受信部に、該割り当てた無線リソースにて、該データ送信要求を行なった該移動局からのデータを受信させ、該受信部が該データを受信できた場合において、該送信部に該データ送信要求を行なった該移動局へ該受信確認信号を送信させるとともに、該受信確認信号の無線送信に伴って該無線リソースの再割当ての処理を行った場合、該送信部に、該データを送信してきた該移動局へ該受信確認信号を再送信させる制御部と
を有する基地局であって、
該受信部は、受信したデータに干渉するノイズの電力値である干渉電力値を検出する検出部を有し、
該制御部は、該受信部がデータの受信に失敗した場合に、該検出部が検出した干渉電力値に基づいて、該受信確認信号を再送信するか否かを判定する、
基地局。
【請求項２】
該複数の移動局から受信したデータの干渉電力値および該受信確認信号が該移動局に受信されなかった場合に該送信部が再送信すると予測される再送予測情報を記憶する記憶部を更に有し、
該検出部は、検出したデータの干渉電力値を該制御部へ出力し、
該制御部は、該受信部が出力した該干渉電力値および該再送予測情報を該記憶部へ書き込み、該受信部がデータの受信に失敗した場合に、該再送予測情報に基づいて該記憶部に記憶した該干渉電力値を参照し、データの受信に失敗した無線リソースにおける干渉電力値の平均値である第１干渉電力値を算出し、データの受信に成功した無線リソースにおける干渉電力値の平均値である第２干渉電力値と該第１干渉電力値との差分が、あらかじめ設定した閾値よりも大きい場合に、該受信確認信号を再送信する、
請求項１に記載の基地局。
【請求項３】
該複数の移動局から受信したデータの信号対雑音比および、該受信確認信号が該移動局に受信されなかった場合に、該送信部が該受信確認信号を再送信すると予測される再送予測情報を記憶する記憶部を更に有し、
該検出部は、検出したデータの信号電力値および干渉電力値を該制御部へ出力し、
該制御部は、該検出部が出力した信号電力値および干渉電力値に基づいて算出した信号対雑音比および該再送予測情報を該記憶部へ書き込み、該受信部がデータの受信に失敗した場合に、該再送予測情報に基づいて該記憶部に記憶した該信号対雑音比を参照し、データの受信に失敗した無線リソースにおける信号対雑音比である第１信号対雑音比を該検出部に算出させ、データの受信に成功した無線リソースにおける信号対雑音比である第２信号対雑音比と該第１信号対雑音比との差分が、あらかじめ設定した閾値よりも大きい場合に、該受信確認信号を再送信する、
請求項１に記載の基地局。
【発明の詳細な説明】
【技術分野】
【０００１】
本発明は、複数の移動局と無線通信を行う基地局に関する。
【背景技術】
【０００２】
複数の移動局と無線通信を行う基地局は、移動局から無線送信される無線信号間で干渉が発生しないように、移動局からの無線送信要求に応じて、データ送信を許可する無線リソースを一定時間単位で割り当てる。
【０００３】
例えば３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅａｍ  Ｅｖｏｌｕｔｉｏｎ）では、無線区間で送信するサブキャリア１２本をＲＢ（Ｒｅｓｏｕｒｃｅ  Ｂｌｏｃｋ）と呼ばれる１つの単位で取り扱う。基地局は通信する周波数帯域を移動局ごとにＲＢ単位で割り当てる。割り当てられたＲＢ単位での周波数帯域が、各移動局の無線リソースとなる。
【０００４】
各移動局は割り当てられた無線リソースを用いて、基地局へデータを送信する。基地局は受信データを復調し、復調データの誤り訂正復号処理を行う。基地局は復号処理が正しく実行できた場合は、データを送信した移動局に対し、データの受信を確認する受信確認信号であるＡＣＫ（ＡＣＫｎｏｗｌｅｄｇｅｍｅｎｔ）信号を送信する。一方、復調処理が正しく実行出来なかった場合は、データを送信した移動局に対し、ＮＡＣＫ（Ｎｅｇａｔｉｖｅ  ＡＣＫｎｏｗｌｅｄｇｅｍｅｎｔ）信号を送信する。
【０００５】
ＡＣＫ信号を受信した移動局は、送信データが正常に基地局に受信されたものとして、送信処理を一時停止する。一方、ＮＡＣＫ信号を受信した移動局は、送信データが正常に基地局に受信されなかったものとして、再度同一データを基地局と移動局が既知であるルールに沿って決定された無線リソースを用いて基地局へ送信する。移動局は、ＡＣＫ信号を受信するまで同一データの再送を繰り返す。
【０００６】
基地局がＡＣＫ信号を送信したにもかかわらず、無線通信環境の影響等により、移動局がＡＣＫ信号を正しく受信できなかった場合、移動局はＮＡＣＫ信号を受信したものとしてデータの再送処理を行う。同一データを何度も再送することにより、システムスループットは低下する。特許文献１には、基地局から移動局へ通知されたＡＣＫ信号の誤判定の発生を低減することにより、再送が発生する頻度を低減させる技術が開示されている。
【先行技術文献】
【特許文献】
【０００７】
【特許文献１】特開２００９−１８８６６０号公報
【発明の概要】
【発明が解決しようとする課題】
【０００８】
ＡＣＫ信号の誤判定の発生を低減しても誤判定が発生した場合、移動局は同一データを基地局と移動局が既知であるルールに沿って決定された無線リソースを用いて再送する。一方他の移動局は、ＡＣＫ信号を正しく受信すると、新たに基地局により割り当てられた無線リソースを用いて別のデータを基地局へ送信する。
【０００９】
新たに割り当てられた無線リソースが、ＡＣＫ信号を正しく受け取れなかった移動局から送信される無線リソースを含んでいる場合、２つの移動局が同一の無線リソースを使って基地局へデータを送信することとなる。２つの移動局が同一の無線リソースで同時にデータを送信すると、データ間の干渉が発生する。データ間の干渉により、一方のデータ信号は他方のデータ信号のノイズとなる。ノイズの影響により、基地局はデータを正確に受信できないため、移動局へ再送信要求のためのＮＡＣＫ信号を送信する。ＮＡＣＫ信号を受信した移動局は、再度同一データを同一無線リソースで再送する。このため、移動局の再送処理が終わらない限り同一動作を繰り返すこととなり、システムスループットが低下する。
【００１０】
本技術では、ＡＣＫ信号を正常に受信できなかった移動局からの、データの再送信を防止することを目的とする。
【課題を解決するための手段】
【００１１】
上記課題を解決するため、基地局は、無線送信したデータが基地局で受信されたことを示す受信確認信号を受信するまで該データを再送する複数の移動局から、該データを受信する受信部と、該複数の移動局へ無線送信する送信部と、該複数の移動局のいずれから受信したデータ送信要求に応じて、該データ送信要求を送信した該移動局にデータ送信用の無線リソースを割り当てるとともに、該受信部に、該割り当てた無線リソースにて、該データ送信要求を行なった該移動局からのデータを受信させ、該受信部が該データを受信できた場合、該送信部に該データ送信要求を行なった該移動局へ該受信確認信号を送信させ、該受信確認信号の無線送信に伴って該無線リソースの再割当ての処理を行い、該送信部に、該データを送信してきた該移動局へ該受信確認信号を再送信させる制御部とを有する。
【発明の効果】
【００１２】
実施形態によれば、ＡＣＫ信号を正常に受信できなかった移動局からの、データの再送信を防止することが出来る。
【図面の簡単な説明】
【００１３】
【図１】通信システム３０のブロック図である。
【図２】基地局３２の詳細ブロック図である。
【図３】移動局３３の詳細ブロック図である。
【図４】移動局３３から基地局３２へＵｐＬｉｎｋデータを送信するまでの疎通手順を示す図である。
【図５】ＡはサブフレームＳＵＢ＃ｎ＋６における、各移動局３３から基地局３２へのＰＵＳＣＨの送信結果をＲＢ単位で図示したものである。ＢはサブフレームＳＵＢ＃ｎ＋１４における、各移動局３３から基地局３２へのＰＵＳＣＨの送信結果をＲＢ単位で図示したものである。Ｃは各移動局３３と基地局３２のサブフレーム単位での通信の様子を図示したものである。
【図６】ＡはサブフレームＳＵＢ＃ｎ＋６における、各移動局３３から基地局３２へのＰＵＳＣＨの送信結果をＲＢ単位で図示したものである。ＢはサブフレームＳＵＢ＃ｎ＋６でのＰＵＳＣＨに対する、基地局３２での干渉電力の測定結果である。ＣはサブフレームＳＵＢ＃ｎ＋１４における、各移動局３３から基地局３２へのＰＵＳＣＨの送信結果をＲＢ単位で図示したものである。ＤはサブフレームＳＵＢ＃ｎ＋１４でのＰＵＳＣＨに対する、基地局３２での干渉電力の測定結果である。ＥはサブフレームＳＵＢ＃ｎ＋２２における、各移動局３３から基地局３２へのＰＵＳＣＨの送信結果をＲＢ単位で図示したものである。ＦはサブフレームＳＵＢ＃ｎ＋２２でのＰＵＳＣＨに対する、基地局３２での干渉電力の測定結果である。Ｇは各移動局３３と基地局３２のサブフレーム単位での通信の様子を図示したものである。
【図７】ＲＢごとの干渉電力を管理するための干渉電力管理テーブル７０である。
【図８】ＡＣＫのＰＨＩＣＨを送信した移動局３３が、意図しないＰＵＳＣＨ再送を想定した再送予測管理テーブル８０である。
【図９】基地局３２における制御部３のＡＣＫ再送処理フローである。
【図１０】無線リソースの再割り当てを行った移動局３３から受信した信号のＳＩＲを管理するＳＩＲ管理テーブル９０である。
【図１１】基地局３２における制御部３のＡＣＫ再送処理フローである。
【発明を実施するための形態】
【００１４】
以下、本実施の形態について説明する。なお、各実施形態における構成の組み合わせも本発明の実施形態に含まれる。
【００１５】
図１は通信システム３０のブロック図である。通信システム３０はコアネットワーク３１、基地局３２、移動局３３を有する。コアネットワーク３１は通信事業者間を結ぶ大容量の基幹通信回線である。基地局３２は移動局３３との間で無線通信を行うための装置である。移動局３３は他の移動局３３とデータ通信を行う移動型の無線端末である。
【００１６】
ＬＴＥでは、コアネットワーク３１と基地局３２はＳ１インターフェースと呼ばれる伝送路で接続されている。基地局３２間はＸ２インターフェースと呼ばれる伝送路で接続されている。セル３４はそれぞれの基地局３２が移動局３３と無線通信可能な領域である。
【００１７】
１つの移動局３３は、基地局３２およびコアネットワーク３１を介して、他の移動局３３と通信を行うことができる。
【００１８】
図２は基地局３２の詳細ブロック図である。基地局３２は、送信部１、受信部２、制御部３、Ｄ／Ａ変換部１２、Ａ／Ｄ変換部１７、ＲＦ処理部１５、アンテナ１４を有する。
【００１９】
送信部１は下りリンク信号に対する送信処理を行う。受信部２は上りリンク信号に対する受信処理を行う。制御部３は通信を行う移動局３３の選択、および無線リソースの割り当てを管理する。記憶部２８は制御部３から書き込まれたデータを記憶する。Ｄ／Ａ変換部１２は送信部１から出力されたデジタル信号をアナログ信号に変換し、ＲＦ処理部１５へ出力する。Ａ／Ｄ変換部１７はＲＦ処理部１５から出力されたアナログ信号をデジタル信号に変換し、受信部２へ出力する。ＲＦ処理部１５はデータ信号を無線伝送に適した信号に変換する。アンテナ１４は無線信号の送受信を行う。
【００２０】
送信部１は、ＰＤＣＰ（Ｐａｃｋｅｔ  Ｄａｔａ  Ｃｏｎｖｅｒｇｅｎｃｅ  Ｐｒｏｔｏｃｏｌ）処理部４，ＲＬＣ（Ｒａｄｉｏ  Ｌｉｎｋ  Ｃｏｎｔｒｏｌ）処理部５、ＭＡＣ（Ｍｅｄｉｕｍ  Ａｃｃｅｓｓ  Ｃｏｎｔｒｏｌ）処理部６、誤り訂正符号部７、データ変調部８、データ・パイロット信号多重部９、ＩＦＦＴ（Ｉｎｖｅｒｓｅ  Ｆａｓｔ  Ｆｏｕｒｉｅｒ  Ｔｒａｎｓｆｏｒｍ）部１０、ＣＰ（Ｃｙｃｌｉｃ  Ｐｒｅｆｉｘ）挿入部１１を有する。
【００２１】
ＰＤＣＰ処理部４は、有線伝送路から受信したＰＤＣＰ  ＳＤＵ（Ｓｅｒｖｉｃｅ  Ｄａｔａ  Ｕｎｉｔ）をＰＤＣＰ  ＰＤＵ（Ｐｒｏｔｏｃｏｌ  Ｄａｔａ  Ｕｎｉｔ）に変換する。ＲＬＣ処理部５は、入力されたＰＤＣＰ  ＰＤＵをＲＬＣ  ＳＤＵとして扱い、ＲＬＣ  ＰＤＵに変換する。ＭＡＣ処理部６は入力されたＲＬＣ  ＰＤＵをＭＡＣ  ＳＤＵとして扱い、ＭＡＣ  ＰＤＵに変換する。誤り訂正符号部７は入力されたＭＡＣ  ＰＤＵに誤り訂正符号化処理を行う。また誤り訂正符号部７は、制御部３から通知されたＨＩ（ＨＡＲＱ  Ｉｎｄｉｃａｔｏｒ）を符号化処理する。
【００２２】
ここでＰＤＵは、各レイヤで扱うデータのフレーム・フォーマットである。またＳＤＵは、ＰＤＵを作成するためのサービスであり、あるレイヤのＰＤＵを作成するためのサービスは、同じレイヤのＰＤＵの上位のＳＤＵから提供される。
【００２３】
またＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）は、レイヤ２以下でＡＲＱとＦＥＣを組み合わせて、誤り訂正能力を向上させ、再送回数を減少させる方式である。ＡＲＱ（Ａｕｔｏｍａｔｉｃ  Ｒｅｐｅａｔ  Ｒｅｑｕｅｓｔ：自動再送要求）とは、誤ったフレームを受信した移動局３３が送信側にそのフレームの再送を要求する方式である。ＦＥＣ（Ｆｏｒｗａｒｄ  Ｅｒｒｏｒ  Ｃｏｒｒｅｃｔｉｏｎ：前方誤り訂正）とは、送信データに事前に誤り訂正用の符号化を行い、送信中に誤りが発生した場合でも、受信側で復号過程においてデータ復調の誤りを訂正する誤り訂正方式である。
【００２４】
例えば３ＧＰＰのＬＴＥ（Ｌｏｎｇ  Ｔｅａｍ  Ｅｖｏｌｕｔｉｏｎ）では、移動局３３から受信したＵｐＬｉｎｋ・ＨＡＲＱ対応処理のデータに対し、基地局は受信結果をＤｏｗｎＬｉｎｋ物理レイヤ信号であるＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）信号を用いて各移動局３３へ通知する。
【００２５】
データ変調部８は符号化されたデータ信号にＱＰＳＫ（Ｑｕａｄｒａｔｕｒｅ  Ｐｈａｓｅ  Ｓｈｉｆｔ  Ｋｅｙｉｎｇ）変調などのデータ変調処理を行う。データ変調部８は符号化処理したＨＩをＰＨＩＣＨ信号へマッピングする。データ・パイロット信号多重部９は、データ信号とパイロット信号とを時間多重する。ここでパイロット信号は、受信局である移動局３３において既知の信号である。
【００２６】
ＩＦＦＴ部１０は一定数Ｎのサンプル単位でＩＦＦＴ処理を行う。すなわち、Ｎ個のデータサンプルをサブキャリア信号成分とみなし、このサブキャリア成分にＩＦＦＴ処理を行い、離散的な時間信号に変換する。ＣＰ挿入部１１は、ＣＰをＮサンプルの先頭に挿入する。ここでＣＰは、ＩＦＦＴ後のＮサンプルのうち、後部のＭサンプル（Ｍ＜Ｎ）をコピーしたものである。ＣＰは巡回的にコピーされているため、ＣＰ挿入後の（Ｍ＋Ｎ）サンプルの区間で信号が連続することとなる。この特徴によりＣＰは、隣接パスからの遅延シンボルによる干渉を除去することができる。
【００２７】
受信部２は、ＣＰ除去部１８、ＦＦＴ部１９、データ・パイロット信号分離部２０、データ復調部２１、ＩＤＦＴ（Ｉｎｖｅｒｓｅ  Ｄｉｓｃｒｅｔｅ  Ｆｏｕｒｉｅｒ  Ｔｒａｎｓｆｏｒｍ）部２２、誤り訂正復号部２３、パイロット信号復調部２４、ＭＡＣ処理部２５、ＲＬＣ処理部２６、ＰＤＣＰ処理部２７を有する。
【００２８】
ＣＰ除去部１８は、Ａ／Ｄ変換部１７によりデジタル信号に変換された受信信号からＣＰを除去する。ＦＦＴ部１９は受信信号をＦＦＴ処理する。データ・パイロット信号分離部２０はＦＦＴ処理後の受信信号をデータ信号とパイロット信号に分離する。パイロット信号復調部２４は分離したパイロット信号を復調する。データ復調部２１は復調したパイロット信号に基づいて、データ信号を復調する。またパイロット信号復調部２４は、分離したパイロット信号に基づいて、受信信号電力および干渉電力を算出する検出部として機能する。パイロット信号復調部２４は算出結果を制御部３へ送信する。ここで受信信号電力とは、受信対象である移動局から受信した信号の電力である。また干渉電力とは、受信電力から受信信号電力を差し引いたものであり、受信したデータ信号に干渉するノイズとなる。
【００２９】
ＩＤＦＴ部２２は復調後のデータ信号をＩＤＦＴ処理する。誤り訂正復号部２３はデータ信号の誤り訂正処理を含む復号処理を行う。また誤り訂正復号部２３はデータ信号の復号結果であるＡＣＫ信号またはＮＡＣＫ信号を制御部３へ出力する。
【００３０】
ＭＡＣ処理部２５は復調・復号されたデータ信号をＭＡＣ  ＰＤＵとして扱い、ＭＡＣ  ＳＤＵに変換する。ＲＬＣ処理部２６はＭＡＣ  ＳＤＵをＲＬＣ  ＰＤＵとして扱い、ＲＬＣ  ＳＤＵに変換する。ＰＤＣＰ処理部２７はＲＬＣ  ＳＤＵをＰＤＣＰ  ＰＤＵとして扱い、ＰＤＣＰ  ＳＤＵに変換する。ＰＤＣＰ処理部２７はＰＤＣＰ  ＳＤＵに変換したデータ信号を有線伝送路へ出力する。
【００３１】
制御部３はパイロット信号復調部２４で算出された受信信号電力および干渉電力に基づいて、受信ＳＩＲ（Ｓｉｇｎａｌ  ｔｏ  Ｉｎｔｅｒｆｅｒｅｎｃｅ  Ｒａｔｉｏ）を算出する。ＳＩＲは受信データの品質を示す信号対雑音比の一種である。制御部３は算出した受信ＳＩＲを後述する記憶部２８のＳＩＲ管理テーブル９０へ書き込む。制御部３は誤り訂正復号部２３から出力されたＡＣＫ／ＮＡＣＫ信号に基づき、ＨＡＲＱプロセスにおけるＨＡＲＱ制御として、誤り訂正符号部７へＨＩを通知する。ＨＡＲＱ制御の詳細については後述する。また制御部３は、入力された干渉電力を後述する記憶部２８の干渉電力管理テーブル７０へ書き込む。
【００３２】
ＲＦ処理部１５は送信ＲＦ部１３および受信ＲＦ部１６を有する。送信ＲＦ部１３はベースバンド信号を無線周波数の信号に変換しアンテナ１４へ出力する。受信ＲＦ部１６はアンテナ１４で受信した信号を無線周波数帯からベースバンド信号に変換する。
【００３３】
以上の通り基地局３２は、有線伝送路から出力されたデータ信号を移動局３３へ送信すると共に、移動局３３から受信したデータ信号を有線伝送路へ出力する。
【００３４】
図３は移動局３３の詳細ブロック図である。各移動局３３は同一の構成を有する。移動局３３は基地局３２と無線通信を行う。移動局３３はアンテナ４０、受信ＲＦ部４１、Ａ／Ｄ変換部４２、受信部４３、制御部４４、送信部４５、Ｄ／Ａ変換部４６、送信ＲＦ部４７を有する。
【００３５】
アンテナ４０は基地局３２から送信された信号を受信する。受信ＲＦ部４１は無線周波数帯の受信信号をベースバンドの受信信号へ変換する。Ａ／Ｄ変換部４２は受信信号をアナログからデジタルへ変換する。受信部４３はデジタル変換された受信信号の復調・復号処理を実行する。
【００３６】
制御部４４は受信部４３において復調・復号された受信信号に基づいて、送信部４５のデータ送信タイミングを制御する。
【００３７】
送信部４５は制御部４４から入力された制御信号に基づいて変調・符号化されたデータ信号を出力する。Ｄ／Ａ変換部４６は送信するデータ信号をデジタルからアナログへ変換する。送信ＲＦ部４７はベースバンドのデータ信号を無線周波数帯に変換する。アンテナ４０は無線周波数帯に変換されたデータ信号を無線送信する。
【００３８】
以上の通り移動局３３は、基地局３２から受信した送信タイミング情報に基づいて、データ信号を無線送信することが出来る。
【００３９】
図４は移動局３３から基地局３２へＵｐＬｉｎｋデータを送信するまでの疎通手順を示す図である。図４において横方向に２列に並んだ複数の四角はそれぞれサブフレーム５０を表す。また疎通処理は図の左から右方向に向かって時間が流れるものとする。１つのサブフレーム５０の時間の長さはＴである。ここでサブフレームとは、データの送信単位である。
【００４０】
ＬＴＥではＵｐｌｉｎｋデータ疎通のため、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）伝送方式を採用している。ＳＣ−ＦＤＭＡ伝送方式はＯＦＤＭ（Ｏｒｔｈｇｏｎａｌ  Ｆｒｅｑｕｅｎｃｙ  Ｄｉｖｉｓｉｏｎ  Ｍｕｌｔｉｐｌｅｘｉｎｇ）伝送方式に比べてＰＡＰＲ（Ｐｅａｋ  ｔｏ  Ａｖｅｒａｇｅ  Ｐｏｗｅｒ  Ｒａｔｉｏ）が小さい。このためＳＣ−ＦＤＭＡ伝送方式は、移動局３３の送信アンプの効率を向上させ、消費電力を小さく抑えることが出来る。ここでＰＡＰＲは、データ信号の電力変動のばらつき具合を表す値である。
【００４１】
各移動局３３は基地局３２に対し、ＰＵＣＣＨ（Ｐｈｙｓｉｃａｌ  Ｕｐｌｉｎｋ  Ｃｏｎｔｒｏｌ  Ｃｈａｎｎｅｌ）信号にてＳＲ（Ｓｃｈｅｄｕｌｉｎｇ  Ｒｅｑｕｅｓｔ）を送信することにより、無線リソースの割り当て要求を通知する。基地局３２は受信したＳＲに基づいて、送信要求した移動局３３を特定する（ステップＳ１０）。
【００４２】
基地局３２は受信したＳＲを復調した後、ＳＲを送信した移動局３３に対し、無線リソースの割り当て情報であるＤＣＩ（ＤｏｗｎＬｉｎｋ  Ｃｏｎｔｒｏｌ  Ｉｎｆｏｒｍａｔｉｏｎ）を符号化し、ＰＤＣＣＨ（Ｐｈｙｓｉｃａｌ  Ｄｏｗｎｌｉｎｋ  Ｃｏｎｔｒｏｌ  Ｃｈａｎｎｅｌ）へマッピングする。基地局３２はＤＣＩがマッピングされたＰＤＣＣＨを無線送信する（ステップＳ１１）。
【００４３】
ＰＤＣＣＨを受信した移動局３３は、ＰＤＣＣＨから自分宛のＤＣＩ情報を抽出する。移動局３３は抽出したＤＣＩ情報に基づいて、基地局３２が割り当てた無線リソース情報を判別する。移動局３３は判別した無線リソースを用いてＰＵＳＣＨ（Ｐｈｙｓｉｃａｌ  Ｕｐｌｉｎｋ  Ｓｈａｒｅｄ  Ｃｈａｎｎｅｌ）を基地局３２へ送信する（ステップＳ１２）。ＰＵＳＣＨは複数の移動局３３で共有される。ＰＵＳＣＨはデータや上位レイヤの制御情報の伝送に用いられる。
【００４４】
ＰＵＳＣＨを受信した基地局３２は復号処理を実行する。基地局３２の制御部３は、復号結果に基づいてＨＡＲＱ制御を実行する。ＨＡＲＱ制御はその制御結果に応じて３つのパターンに分かれる。基地局３２はＨＡＲＱ制御結果に応じて、ＰＤＣＣＨもしくはＰＨＩＣＨを送信する（ステップＳ１３）。
【００４５】
ＨＡＲＱ制御の３つのパターンについては以下の通りである。1つめは、ＨＡＲＱ制御の結果、ＨＡＲＱプロセスに対し新規送信要求をする場合、基地局３２はＤＣＩ情報の１つであるＮＤＩ（Ｎｅｗ  Ｄａｔａ  Ｉｎｄｉｃａｔｏｒ）をトグルさせたＰＤＣＣＨを送信するというものである。２つめは、ＨＡＲＱ制御の結果、ＨＡＲＱプロセスに対し再送要求をする場合、基地局３２はＰＨＩＣＨでＮＡＣＫを通知するｎｏｎ−ａｄａｐｔｉｖｅＨＡＲＱ再送と、ＮＤＩをトグルさせないＰＤＣＣＨを通知するａｄａｐｔｉｖｅＨＡＲＱ再送の２種類を状況に応じて使い分けるというものである。３つめは、ＨＡＲＱ制御の結果、ＨＡＲＱプロセスに対し送信停止要求をする場合、基地局３２はＰＨＩＣＨでＡＣＫを送信するというものである。
【００４６】
移動局３３は、基地局３２から受信したＰＤＣＣＨもしくはＰＨＩＣＨに応じてＨＡＲＱ制御を実行する。移動部３３はＨＡＲＱ制御において、ＰＵＳＣＨの送信有無を決定する（Ｓ１４）。移動局３３におけるＨＡＲＱ制御の詳細は以下の４通りである。１つめは、基地局３２から新規送信要求を受信した場合、移動局３３は新規データを符号化後、新たに受信したＤＣＩ情報に基づいてＰＵＳＣＨを送信するというものである。２つめは、基地局３２からｎｏｎ−ａｄａｐｔｉｖｅＨＡＲＱ再送要求を受信した場合、移動局３３は再送データを符号化後、最新のＤＣＩ情報に基づいたＲＢのＨｏｐｐｉｎｇ処理をすることによりＰＵＳＣＨを送信するというものである。３つめは、基地局３２からａｄａｐｔｉｖｅＨＡＲＱ再送要求を受信した場合、移動局３３は再送データを符号化後、新たに受信したＤＣＩ情報に基づいてＰＵＳＣＨを送信するというものである。４つめは、基地局３２から送信停止要求を受信した場合、移動局３３はＰＵＳＣＨの送信をすること無く、ＨＡＲＱバッファにデータを格納するというものである。
【００４７】
以上の通り移動局３３は基地局３２に対し、ＨＡＲＱ制御に基づいてデータを送信することができる。
【００４８】
図５は基地局３２が複数の移動局３３と通信する場合の正常なスケジューリング例を示す。図５において、基地局３２は複数の移動局３３０、３３１、３３２、３３３と通信する。図５のＡはサブフレームＳＵＢ＃ｎ＋６における、各移動局３３から基地局３２へのＰＵＳＣＨの送信結果をＲＢ単位で図示したものである。図５のＢはサブフレームＳＵＢ＃ｎ＋１４における、各移動局３３から基地局３２へのＰＵＳＣＨの送信結果をＲＢ単位で図示したものである。図５のＣは各移動局３３と基地局３２のサブフレーム単位での通信の様子を図示したものである。
【００４９】
図５のＣの通り基地局３２は各移動局３３に対し、サブフレームＳＵＢ＃ｎ＋２のタイミングで、新規送信要求であるＰＤＣＣＨを送信する。基地局３２から送信されたＰＤＣＣＨに対応して、サブフレームＳＵＢ＃ｎ＋６に各移動局３３に割り当てられるＲＢは図５のＡの通りとなる。
【００５０】
図５のＡの通りサブフレームＳＵＢ＃ｎ＋６では、リソースブロックＲＢ４〜ＲＢ６が移動局３３０に、リソースブロックＲＢ７〜ＲＢ１１が移動局３３１に、リソースブロックＲＢ１２〜ＲＢ１３が移動局３３２に、リソースブロックＲＢ１４〜ＲＢ２１が移動局３３３に割り当てられる。
【００５１】
図５のＣの通り基地局３２は、サブフレームＳＵＢ＃ｎ＋６において、各移動局３３から送信されたＰＵＳＣＨを受信する。各移動局３３から受信したすべての信号の復号結果が正常であった場合、サブフレームＳＵＢ＃ｎ＋１０において基地局３２は、復号結果を踏まえ、移動局３３０〜３３２に対し、新たなデータの送信要求であるＰＤＣＣＨを送信すると共に、移動局３３３に対し、データの受信完了を通知するＡＣＫ信号をＰＨＩＣＨとして送信する。
【００５２】
基地局３２から送信されたＰＤＣＣＨに対応して、サブフレームＳＵＢ＃ｎ＋６での送信データが属するＨＡＲＱプロセスにおいて、ＨＡＲＱ  ＲＴＴ  Ｔｉｍｅｒ後であるサブフレームＳＵＢ＃ｎ＋１４で、各移動局３３に割り当てられるＲＢは図５のＢの通りとなる。
【００５３】
図５のＢの通りサブフレームＳＵＢ＃ｎ＋１４では、リソースブロックＲＢ４〜ＲＢ９が移動局３３０に、リソースブロックＲＢ１０〜ＲＢ１２が移動局３３１に、リソースブロックＲＢ１３〜ＲＢ２１が移動局３３２に割り当てられる。移動局３３３のデータ送信は完了しているため、ＲＢは割り当てられない。新規送信要求を示すＰＤＣＣＨを基地局３２から受信した各移動局３３０〜３３２は、サブフレームＳＵＢ＃ｎ＋１４においてそれぞれＰＵＳＣＨを送信する。一方送信停止要求であるＡＣＫのＰＨＩＣＨを受信した移動局３３３はＰＵＳＣＨを送信しない。
【００５４】
以上の通り基地局３２と複数の移動局３３は、必要に応じてＲＢを割り当てるＲＢを変えながらデータ通信を行うことができる。
【００５５】
図６は基地局３２が複数の移動局３３と通信する場合の正常でないスケジューリング例を示す。図６において、基地局３２は複数の移動局３３０、３３１、３３２、３３３と通信する。図６のＡはサブフレームＳＵＢ＃ｎ＋６における、各移動局３３から基地局３２へのＰＵＳＣＨの送信結果をＲＢ単位で図示したものである。図６のＢはサブフレームＳＵＢ＃ｎ＋６でのＰＵＳＣＨに対する、基地局３２での干渉電力の測定結果である。図６のＢにおいて、横軸は図６のＡにおける各ＲＢに対応している。図６のＣはサブフレームＳＵＢ＃ｎ＋１４における、各移動局３３から基地局３２へのＰＵＳＣＨの送信結果をＲＢ単位で図示したものである。図６のＤはサブフレームＳＵＢ＃ｎ＋１４でのＰＵＳＣＨに対する、基地局３２での干渉電力の測定結果である。図６のＤにおいて、横軸は図６のＣにおける各ＲＢに対応している。図６のＥはサブフレームＳＵＢ＃ｎ＋２２における、各移動局３３から基地局３２へのＰＵＳＣＨの送信結果をＲＢ単位で図示したものである。図６のＦはサブフレームＳＵＢ＃ｎ＋２２でのＰＵＳＣＨに対する、基地局３２での干渉電力の測定結果である。図６のＦにおいて、横軸は図６のＥにおける各ＲＢに対応している。また、図６のＧは各移動局３３と基地局３２のサブフレーム単位での通信の様子を図示したものである。図６のＧにおいて、サブフレームＳＵＢ＃ｎ＋１０までは、基地局３２と各移動局３３は図５のＣと同様の通信を行う。
【００５６】
本実施例における干渉電力の算出方法の詳細は以下の通りである。移動局３３は、ＰＵＳＣＨ送信の際に、３ＧＰＰのルールに沿ったＲＳ（ｄｅｍｏｄｕｒａｔｉｏｎ  Ｒｅｆｅｒｅｎｃｅ  Ｓｉｇｎａｌ：リファレンス信号）を時間多重する。ＲＳは特定のビットパターンを有する信号であり、基地局３２と移動局３３との間で共通認識されている。基地局３２は受信電力に対し、ＲＳとの相関を確認する。相関がある場合、基地局３２は、受信した電力を受信信号電力として認識する。受信電力と、認識した受信信号電力との差分を求めることにより、基地局３２は干渉電力を算出することができる。すなわち干渉電力は、受信対象の移動局３３以外の移動局から受信した信号の電力の他、例えば別のセル３４で送受信している信号や、別のシステムで送受信している信号の電力なども含む。
【００５７】
図６のＡの通り、サブフレームＳＵＢ＃ｎ＋６において、各移動局３３は図５のＡと同様にＰＵＳＣＨを基地局３２へ送信する。図６のＢの通り、サブフレームＳＵＢ＃ｎ＋６で各移動局３３からＰＵＳＣＨを受信した基地局３２での干渉電力の測定結果は各ＲＢにおいてほぼ同じ値となる。
【００５８】
図６のＧの通り、サブフレームＳＵＢ＃ｎ＋１０において基地局３２は、図５のＣと同様に移動局３３３に対し、ＡＣＫのＰＨＩＣＨを送信する。これに対し移動局３３３は、基地局３２から送信されたＡＣＫのＰＨＩＣＨを正常に受信できなかったとする。この場合移動局３３３は、サブフレームＳＵＢ＃ｎ＋６において基地局３２へ送信したＰＵＳＣＨが基地局３２で正常に受信されなかったと判断し、ｎｏｎ−ａｄａｐｔｉｖｅＨＡＲＱ再送制御を実施する。その結果、サブフレームＳＵＢ＃ｎ＋６において割り当てられたＲＢと同一のＲＢ１４〜ＲＢ２１を用いて、ＰＵＳＣＨをサブフレームＳＵＢ＃ｎ＋１４において再送する。
【００５９】
図６のＧの通り、サブフレームＳＵＢ＃ｎ＋１０において基地局３２は移動局３３０〜３３２に対し、新たなＲＢを割り当てるためのＰＤＣＣＨを送信する。サブフレームＳＵＢ＃ｎ＋１０において送信されたＰＤＣＣＨに対し、移動局３３２にはＲＢ１３〜ＲＢ２１が割り当てられる。一方移動局３３３は前述の通り、ＲＢ１４〜ＲＢ２１を用いてＰＵＳＣＨを再送する。この結果図６のＣの通り、移動局３３２と移動局３３３がＲＢ１４〜ＲＢ２１を同一タイミングで使用することとなる。移動局３３３から送信されたＰＵＳＣＨは基地局３２において意図しない干渉源となるため、基地局３２での干渉電力は図６のＤの通りＲＢ１４〜ＲＢ２１で高くなる。この結果基地局３２は、サブフレームＳＵＢ＃ｎ＋１４において移動局３３２から送信されたＰＵＳＣＨを正常に受信できなくなる可能性がある。
【００６０】
図６のＧの通り、サブフレームＳＵＢ＃ｎ＋１８において移動局３３２から受信したＰＵＳＣＨの復号結果がＮＧとなった場合、基地局３２は、移動局３３２に対しＮＡＣＫのＰＨＩＣＨを送信することによるｎｏｎ−ａｄａｐｔｉｖｅＨＡＲＱ再送処理または、ＰＤＣＣＨ送信によるａｄａｐｔｉｖｅＨＡＲＱ再送処理を実行する。
【００６１】
基地局３２はいずれかの移動局３３へ再送要求処理を実行した場合、本実施例における移動局３３３のように意図しないＰＵＳＣＨを送信している移動局３３が存在しないか、過去の通信履歴や受信干渉電力等に基づいて判断する。判断の結果、意図しないＰＵＳＣＨを送信している移動局３３３が存在すると判断した場合、基地局３２はサブフレームＳＵＢ＃ｎ＋１８において、移動局３３３に対しＰＵＳＣＨ送信を停止させるためのＡＣＫのＰＨＩＣＨを再送する。
【００６２】
図６のＢおよびＤに示す通り、サブフレームＳＵＢ＃ｎ＋１４でのＰＵＳＣＨに対する基地局３２でのＲＢ１４〜ＲＢ２１の干渉電力は、サブフレームＳＵＢ＃ｎ＋６でのＰＵＳＣＨに対する基地局３２でのＲＢ１４〜ＲＢ２１の干渉電力に比べて高い。その後基地局３２がサブフレームＳＵＢ＃ｎ＋１８で移動局３３３へＡＣＫのＰＨＩＣＨを再送することにより、移動局３３３は意図しないＰＵＳＣＨの送信を停止する。この結果図６のＦに示す通り、サブフレームＳＵＢ＃ｎ＋２２でのＰＵＳＣＨに対する基地局３２でのＲＢ１４〜ＲＢ２１の干渉電力は再び低くなる。以上の通り、干渉電力に基づいて、意図しないＰＵＳＣＨを送信している移動局３３へ、ＡＣＫのＰＨＩＣＨを再送することにより、正常な通信状態へ早期に復旧することができる。
【００６３】
なお基地局３２は、ＡＣＫのＰＨＩＣＨが移動局３３で正常に受信されたか否かに関わらず、ＡＣＫのＰＨＩＣＨを再送しても良い。これにより基地局３２は、1度目のＡＣＫのＰＨＩＣＨを受信できなかった移動局３３からのデータの再送処理を強制的に止めることができる。
【００６４】
図７はＲＢごとの干渉電力を管理するための干渉電力管理テーブル７０である。干渉電力管理テーブル７０は、各サブフレームで受信したＲＢごとの干渉電力を記録する。各干渉電力は、基地局３２のパイロット信号復調部２４において算出される。干渉電力管理テーブル７０は、基地局３２の記憶部２８に記憶されている。
【００６５】
図７の干渉電力管理テーブル７０において、行７１はＲＢの番号を示す。行７３はサブフレームＳＵＢ＃ｎ＋６で基地局３２が受信した、各ＲＢでの干渉電力である。行７４はサブフレームＳＵＢ＃ｎ＋１４で基地局３２が受信した、各ＲＢでの干渉電力である。行７５はサブフレームＳＵＢ＃ｎ＋２２で基地局３２が受信した、各ＲＢでの干渉電力である。
【００６６】
サブフレームＳＵＢ＃ｎ＋６、およびＳＵＢ＃ｎ＋２２で基地局３２が受信した干渉電力は、各ＲＢにおいて−１１０［ｄＢｍ］である。一方サブフレームＳＵＢ＃ｎ＋１４で受信した干渉電力は、ＲＢ１４〜ＲＢ２１において−１０５［ｄＢｍ］であり、その他のＲＢで−１１０［ｄＢｍ］である。
【００６７】
以上の通り干渉電力管理テーブル７０は各サブフレームで受信したＲＢごとの干渉電力を記憶する。よって基地局３２の制御部３は、記憶部２８に記憶された干渉電力管理テーブル７０を参照することにより、干渉電力の高くなったサブフレームおよびＲＢを特定することができる。
【００６８】
図８はＡＣＫのＰＨＩＣＨを送信した移動局３３が、意図しないＰＵＳＣＨ再送を予測した再送予測管理テーブル８０である。再送予測管理テーブル８０は、各サブフレームで受信する可能性のある、意図しないＰＵＳＣＨ再送に関する情報を記録する。再送予測管理テーブル８０は、基地局３２の記憶部２８に記憶されている。
【００６９】
行８６はサブフレームＳＵＢ＃ｎ＋６で基地局３２が受信する可能性のある、意図しないＰＵＳＣＨ再送に関する情報を示す。行８７はサブフレームＳＵＢ＃ｎ＋１４で基地局３２が受信する可能性のある、意図しないＰＵＳＣＨ再送に関する情報を示す。行８８はサブフレームＳＵＢ＃ｎ＋２２で基地局３２が受信する可能性のある、意図しないＰＵＳＣＨ再送に関する情報を示す。
【００７０】
列８２、８３、８４はそれぞれ異なる意図しないＰＵＳＣＨ再送に関する情報を示す。本実施例において、意図しないＰＵＳＣＨ再送は移動局３３３でのみ発生している。列８２は移動局３３３において処理される可能性のあるＰＵＳＣＨ再送に関する情報をサブフレームごとに示すものである。列８２、８３、８４の管理番号＃０、＃１、＃２は、移動局３３ごとに割り当てる。
【００７１】
再送予測管理テーブル８０に記録される情報は、意図しないＰＵＳＣＨを再送する可能性のある移動局番号、ＰＵＳＣＨを再送するＲＢ領域、ｎＤＭＲＳ、基地局３２から移動局３３へＡＣＫのＰＨＩＣＨを送信する元となったＰＵＳＣＨを移動局３３が送信したタイミング（ＣＲＣ＿ＯＫタイミング）である。ここでｎＤＭＲＳは、直近のＤＣＩ  ｆｏｒｍａｔ０で通知された情報である。ＣＲＣ＿ＯＫは、基地局３２の受信部２が受信データの復号処理に成功したことを示す。
【００７２】
ＰＨＩＣＨグループ（ｇｒｏｕｐ）はリソース成分にマッピングされた複数のＰＨＩＣＨからなるグループである。同じＰＨＩＣＨグループには、異なるシーケンス（ｓｅｑ）が多重化されている。あるＰＨＩＣＨのリソースは［ｎ（ｇｒｏｕｐ、ＰＨＩＣＨ）、ｎ（ｓｅｑ、ＰＨＩＣＨ）］で特定される。ここでｎ（ｇｒｏｕｐ、ＰＨＩＣＨ）はＰＨＩＣＨのグループ番号であり、ｎ（ｓｅｑ、ＰＨＩＣＨ）はそのグループ中のシーケンス番号である。ＰＨＩＣＨのリソースを特定する［ｎ（ｇｒｏｕｐ、ＰＨＩＣＨ）、ｎ（ｓｅｑ、ＰＨＩＣＨ）］を算出するため、ＲＢ領域の先頭ＲＢ番号およびｎＤＭＲＳが用いられる。
【００７３】
ＣＲＣ＿ＯＫタイミングは、移動局３３からのＰＵＳＣＨ送信有無の判定として使用する干渉電力について、どのタイミングの干渉電力を比較対象とするかを示すものである。ＣＲＣ＿ＯＫとなったタイミングであれば、移動局３３からのＰＵＳＣＨが他の移動局３３から送信されたＰＵＳＣＨと干渉している可能性が低いためである。
【００７４】
例えば行８７の列８２に記録された情報は、移動局３３３からＲＢ１４〜ＲＢ２１の領域において、ｎＤＭＲＳ＝０を用いたＰＵＳＣＨがサブフレームＳＵＢ＃ｎ＋１４で再送される可能性があり、意図しないＰＵＳＣＨ再送により干渉が発生しているとの推測は、サブフレームＳＵＢ＃ｎ＋６における干渉電力を基準に判断されることを示す。
【００７５】
行８８の列８２に記録された情報は、行８７の列８２に記録された情報と同一である。この情報は、サブフレームＳＵＢ＃ｎ＋１４と同一のＰＵＳＣＨ再送処理が、サブフレームＳＵＢ＃ｎ＋２２において繰り返される可能性があることを示す。ＰＵＳＣＨ送信の最大再送回数はあらかじめ設定されている。
【００７６】
以上の通り基地局３２の制御部３は、記憶部２８に記憶された再送予測管理テーブル８０を参照することにより、意図しないＰＵＳＣＨ再送による干渉が発生した場合にＡＣＫのＰＨＩＣＨを送信すべき移動局３３を推定することができる。
【００７７】
図９は基地局３２における制御部３のＡＣＫ再送処理フローである。制御部３は、複数の移動局３３のいずれから受信したデータ送信要求に応じて、データ送信要求を送信した移動局３３にデータ送信用のＲＢを割り当てるとともに、受信部２に、割り当てたＲＢにて、データ送信要求を行なった移動局３３からのデータを受信させ、受信部２がデータを受信できた場合、送信部１にデータ送信要求を行なった移動局３３へＡＣＫ信号を送信させ、受信確認信号の無線送信に伴ってＲＢの再割当ての処理を行い、送信部１に、データを送信してきた移動局３３へＡＣＫ信号を再送信させる。制御部３が実行する再送信処理の詳細を以下に示す。
【００７８】
制御部３は受信部２から入力されたＲＢごとの干渉電力を記憶部２８に記憶する干渉電力管理テーブル７０へ書き込む（ステップＳ１００）。
【００７９】
制御部３はスケジューリングの結果、ＨＡＲＱプロセスにおけるデータ送信停止要求として、ＡＣＫのＰＨＩＣＨのみを送信した移動局３３に対し、意図しないＰＵＳＣＨ再送をしてきた場合に対するＡＣＫのＰＨＩＣＨ再送のために必要な各種情報である再送予測情報を再送予測管理テーブル８０へ書き込む（ステップＳ１０１）。
【００８０】
受信部２は復号処理結果を制御部３へ出力する。受信部２は受信データの復号処理に失敗した場合、復号結果ＮＧを示す信号を制御部３へ出力する。制御部３は受信部２から出力された復号結果に基づいてＮＧとなった移動局３３を検出した場合（ステップＳ１０２：ＹＥＳ）、再送予測管理テーブル８０を参照する（ステップＳ１０３）。制御部３は復号結果ＮＧとなる移動局３３を検出しなかった場合（ステップＳ１０２：ＮＯ）、ＡＣＫ再送処理を終了する。
【００８１】
再送予測管理テーブル８０に基づき、復号結果ＮＧのＲＢ領域は、意図しないＰＵＳＣＨ送信候補ＲＢとの衝突であると判断した場合（ステップＳ１０３：ＹＥＳ）、制御部３は衝突ＲＢ領域について、衝突が発生したサブフレームにおける干渉電力の平均値をＸとして算出する（ステップＳ１０４）。制御部３は再送予測管理テーブル８０に基づき、復号結果ＮＧのＲＢ領域は、意図しないＰＵＳＣＨ送信候補ＲＢとの衝突ではないと判断した場合（ステップＳ１０３：ＮＯ）、復号結果ＮＧとなった他の移動局３３についての検証を開始する（ステップＳ１０８）。
【００８２】
続いて制御部３は再送予測管理テーブル８０に基づき、衝突ＲＢ領域について、意図しないＰＵＳＣＨ再送候補移動局３３の、ＣＲＣ＿ＯＫタイミングにおける干渉電力平均値をＹとして算出する（ステップＳ１０５）。
【００８３】
制御部３は信号間干渉を検出するための検出閾値をあらかじめ記憶部２８に記憶させておく。検出閾値として、例えば、意図しないＰＵＳＣＨ再送を実行すると想定される移動局３３の送信電力に基づいて設定しても良いし、ＵｐＬｉｎｋ  Ｐｏｗｅｒ  Ｃｏｎｔｒｏｌ制御を考慮した係数αを乗じた閾値として設定しても良い。
【００８４】
制御部３はステップＳ１０４、Ｓ１０５で算出した平均値Ｘ、Ｙの差分（Ｘ−Ｙ）が検出閾値よりも大きい場合（ステップＳ１０６：ＹＥＳ）、意図しないＰＵＳＣＨ再送を実行している移動局３３へＡＣＫのＰＨＩＣＨを再送するよう、送信部１へ制御信号を出力する（ステップＳ１０７）。制御部３は差分（Ｘ−Ｙ）が検出閾値以下の場合（ステップＳ１０６：ＮＯ）、復号結果ＮＧとなった他の移動局３３についての検証を開始する（ステップＳ１０８）。
【００８５】
制御部３は受信部２における復号結果がＮＧとなった移動局３３すべてについて信号間干渉の評価を実行した場合（ステップＳ１０８：ＹＥＳ）、ＡＣＫのＰＨＩＣＨ再送処理を終了する。制御部３は復号結果がＮＧとなった移動局３３すべてについて信号間干渉の評価を実行していない場合（ステップＳ１０８：ＮＯ）、ステップＳ１０３からＳ１０７までの処理を繰り返す。
【００８６】
本実施例における再送予測管理テーブル８０では、意図しないＰＵＳＣＨ再送を実行している移動局は移動局３３３のみとしているが、複数の移動局３３がＡＣＫのＰＨＩＣＨを受信できずにｎｏｎ−ａｄａｐｔｉｖｅＨＡＲＱ再送を実行していても良い。例えば移動局３３２において意図しないＰＵＳＣＨ再送が想定される場合、再送予測管理テーブル８０の列８３に、想定されるＰＵＳＣＨ再送に関する情報が記録される。制御部３は再送予測管理テーブル８０に基づき、移動局３３２および３３３それぞれにステップＳ１０３からＳ１０７の処理を実行することにより、複数の移動局３３で意図しないＰＵＳＣＨ再送が実行されている場合にも対応することができる。
【００８７】
本実施例において、例えば移動局３３２がＲＢ１３〜ＲＢ２１でＰＵＳＣＨ送信をした場合の復号結果がＮＧであった場合、制御部３は再送予測管理テーブル８０に基づき、移動局３３３がＲＢ１４〜ＲＢ２１で意図しないＰＵＳＣＨ再送をしているためにＲＢ１４〜ＲＢ２１が衝突していると判定する。
【００８８】
制御部３はサブフレームＳＵＢ＃ｎ＋１４において、干渉電力管理テーブル７０に基づいてＲＢ１４〜ＲＢ２１の干渉電力平均値Ｘを算出する。本実施例において、干渉電力管理テーブル７０に基づくサブフレームＳＵＢ＃ｎ＋１４でのＲＢ１４〜ＲＢ２１の干渉電力平均値Ｘは−１０５ｄＢｍ／ＲＢとなる。
【００８９】
また制御部３は再送予測管理テーブル８０に基づき、移動局３３３から受信したＰＵＳＣＨがＣＲＣ＿ＯＫとなったタイミングはサブフレームＳＵＢ＃ｎ＋６であると判断する。制御部３はサブフレームＳＵＢ＃ｎ＋６のＲＢ１４〜ＲＢ２１の平均値を干渉電力平均値Ｙとして算出する。本実施例において、干渉電力平均値Ｙは−１１０ｄＢｍ／ＲＢとなる。
【００９０】
例えば検出閾値を４ｄＢと設定していた場合、平均値の差分（Ｘ−Ｙ）は５ｄＢとなり、検出閾値よりも大きくなる。よって制御部３は再送予測管理テーブル８０に基づいて、移動局３３３に対しＡＣＫのＰＨＩＣＨ再送処理を実行する。
【００９１】
以上の通り基地局３２の制御部３は、受信部２において復号結果がＮＧとなった場合に、干渉電力管理テーブル７０および再送予測管理テーブル８０に基づいて、信号間干渉の原因となる意図しないＰＵＳＣＨ再送を実行している移動局３３に対し、ＡＣＫのＰＨＩＣＨを再送処理することができる。
【００９２】
図１０は基地局３２における復号処理結果がＯＫとなり、無線リソースの再割り当てを行った場合に移動局３３から受信した信号のＳＩＲを管理するＳＩＲ管理テーブル９０である。ＳＩＲ管理テーブル９０は、基地局３２の記憶部２８に記憶されている。
【００９３】
行９６はサブフレームＳＵＢ＃ｎ＋６の受信結果により、サブフレームＳＵＢ＃ｎ＋１４で無線リソースの再割り当てが行われる移動局を対象とする。行９６はサブフレームＳＵＢ＃ｎ＋６にて各移動局３３から受信した信号のＳＩＲ値に関する情報を示す。行９７はサブフレームＳＵＢ＃ｎ＋１４の受信結果により、サブフレームＳＵＢ＃ｎ＋２２で無線リソースの再割り当てが行われる移動局を対象とする。行９７はサブフレームＳＵＢ＃ｎ＋１４にて各移動局３３から受信した信号のＳＩＲ値に関する情報を示す。行９８はサブフレームＳＵＢ＃ｎ＋２２の受信結果により、サブフレームＳＵＢ＃ｎ＋３０で無線リソースの再割り当てが行われる移動局を対象とする。行９８はサブフレームＳＵＢ＃ｎ＋２２にて各移動局３３から受信した信号のＳＩＲ値に関する情報を示す。
【００９４】
列９２、９３、９４は無線リソースの再割り当てが確定した各移動局３３から受信した信号のＳＩＲである。列９２、９３、９４の管理番号＃０、＃１、＃２は、移動局３３ごとに割り当てる。本実施例において、無線リソースの再割り当ては、行９６のサブフレームＳＵＢ＃ｎ＋６の受信結果により決定している。行９６において、列９２には移動局３３０から受信した信号のＳＩＲ値ｘｘが記録されている。列９３には移動局３３１から受信した信号のＳＩＲ値ｙｙが記録されている。列９４には移動局３３２から受信した信号のＳＩＲ値ｘｘが記録されている。本実施例において基地局３２は、移動局３３３に対しサブフレームＳＵＢ＃ｎ＋１０でＡＣＫのＰＨＩＣＨを送信している。よってサブフレームＳＵＢ＃ｎ＋１４において、移動局３３３へのリソースの再割り当ては発生していない。
【００９５】
基地局３２の制御部３は、復号結果ＮＧが発生した場合の受信信号のＳＩＲを記録する。そして制御部３は、ＳＩＲ管理テーブルに記録した、復号結果ＯＫとなったタイミングでのＳＩＲの値と比較することにより、復号結果ＮＧとなった原因が、意図しない移動局３３からのＰＵＳＣＨ再送によるものである事を推定することができる。
【００９６】
図１１は復号結果ＮＧとなった移動局３３に対して割り当てられたＲＢ領域に着目した、基地局３２における制御部３のＡＣＫ再送処理フローである。制御部３はスケジューリングの結果、ＨＡＲＱプロセスにおけるデータ送信停止要求として、ＡＣＫのＰＨＩＣＨのみを送信した移動局３３に対し、意図しないＰＵＳＣＨ再送をしてきた場合に対するＡＣＫのＰＨＩＣＨ再送のために必要な各種情報を再送予測管理テーブル８０へ書き込む（ステップＳ２０１）。
【００９７】
制御部３はスケジューリングの結果、ＨＡＲＱプロセスにおける無線リソースの再割り当てをした移動局３３から受信した信号のＳＩＲ値をＡとしてＳＩＲ管理テーブル９０に書き込む（ステップＳ２０２）。
【００９８】
受信部２は復号処理結果を制御部３へ出力する。制御部３は受信部２から出力された復号結果に基づいてＮＧとなった移動局３３を検出した場合（ステップＳ２０３：ＹＥＳ）、再送予測管理テーブル８０を参照する（ステップＳ２０４）。制御部３は復号結果ＮＧとなる移動局３３を検出しなかった場合（ステップＳ２０３：ＮＯ）、ＡＣＫ再送処理を終了する。
【００９９】
制御部３は再送予測管理テーブル８０に基づき、復号結果ＮＧのＲＢ領域は、意図しないＰＵＳＣＨ送信候補ＲＢとの衝突であると判断した場合（ステップＳ２０４：ＹＥＳ）、復号結果ＮＧとなったタイミングにおいて移動局３３から受信した信号のＳＩＲ値をＢとして算出する（ステップＳ２０５）。復号結果ＮＧのＲＢ領域は、意図しないＰＵＳＣＨ送信候補ＲＢとの衝突でないと判断した場合（ステップＳ２０４：ＮＯ）、制御部３はステップＳ２０８の判定処理へ移行する。
【０１００】
制御部３は信号間干渉を検出するための検出閾値をあらかじめ記憶部２８に記憶させておく。検出閾値として、例えば、意図しないＰＵＳＣＨ再送を実行すると想定される移動局３３の送信電力に基づいて設定しても良いし、ＵｐＬｉｎｋ  Ｐｏｗｅｒ  Ｃｏｎｔｒｏｌ制御を考慮した係数αを乗じた閾値として設定しても良い。
【０１０１】
制御部３は受信ＳＩＲの差分（Ａ−Ｂ）が検出閾値よりも大きい場合（ステップＳ２０６：ＹＥＳ）、意図しないＰＵＳＣＨ再送を実行している移動局３３へＡＣＫのＰＨＩＣＨを再送するよう、送信部１へ制御信号を出力する（ステップＳ２０７）。制御部３は差分（Ａ−Ｂ）が検出閾値以下の場合（ステップＳ２０６：ＮＯ）、復号結果ＮＧとなった他の移動局３３についての検証を開始する（ステップＳ２０８）。
【０１０２】
制御部３は受信部２における復号結果がＮＧとなった移動局３３すべてについて信号間干渉の評価を実行した場合（ステップＳ２０８：ＹＥＳ）、ＡＣＫのＰＨＩＣＨ再送処理を終了する。制御部３は復号結果がＮＧとなった移動局３３すべてについて信号間干渉の評価を実行していない場合（ステップＳ２０８：ＮＯ）、ステップＳ２０４からＳ２０７までの処理を繰り返す。
【０１０３】
以上の通り基地局３２の制御部３は、復号結果ＮＧが発生した場合の受信信号のＳＩＲ値と、ＳＩＲ管理テーブルに記録した、復号結果ＯＫとなったタイミングでのＳＩＲ値と比較することにより、復号結果ＮＧとなった原因が、意図しない移動局３３からのＰＵＳＣＨ再送によるものである事を推定することができる。制御部３は推定した移動局３３へＡＣＫのＰＨＩＣＨを再送することにより、復号結果ＮＧの原因となっている移動局３３からの意図しないＰＵＳＣＨ再送を止めることができる。また図９の干渉電力管理テーブル７０を用いた判定では、複数のＲＢにおける平均値を算出する必要があるのに対し、図１１のＳＩＲ管理テーブルを用いた判定では、平均値の算出が必要ないため、処理ステップを少なくすることができる。
【符号の説明】
【０１０４】
１  送信部
２  受信部
３  制御部
４  ＰＤＣＰ処理部
５  ＲＬＣ処理部
６  ＭＡＣ処理部
７  誤り訂正符号部
８  データ変調部
９  データ・パイロット信号多重部
１０  ＩＦＦＴ部
１１  ＣＰ挿入部
１２  Ｄ／Ａ変換部
１３  送信ＲＦ部
１４  アンテナ。
１５  ＲＦ処理部
１６  受信ＲＦ部
１７  Ａ／Ｄ変換部
１８  ＣＰ除去部
１９  ＦＦＴ部
２０  データ・パイロット信号分離部
２１  データ復調部
２２  ＩＤＦＴ部
２３  誤り訂正復号部
２４  パイロット信号復調部
２５  ＭＡＣ処理部
２６  ＲＬＣ処理部
２７  ＰＤＣＰ処理部
２８  記憶部
３０  通信システム
３１  コアネットワーク
３２  基地局
３３  移動局
３４  セル
４０  アンテナ
４１  受信ＲＦ部
４２  Ａ／Ｄ変換部
４３  受信部
４４  制御部
４５  送信部
４６  Ｄ／Ａ変換部
４７  送信ＲＦ部
５０  サブフレーム
７０  干渉電力管理テーブル
８０  再送予測管理テーブル
９０  ＳＩＲ管理テーブル
３３０、３３１、３３２、３３３  移動局
【図１】
0005724745.tif 000002
【図２】
0005724745.tif 000003
【図３】
0005724745.tif 000004
【図４】
0005724745.tif 000005
【図５】
0005724745.tif 000006
【図６】
0005724745.tif 000007
【図７】
0005724745.tif 000008
【図８】
0005724745.tif 000009
【図９】
0005724745.tif 000010
【図１０】
0005724745.tif 000011
【図１１】
0005724745.tif 000012